(57)【要約】【課題】外装体の肌面側に帯材を具備するパンツ型おむつを始めとした着用物品に特有の課題を解決し、帯材を適用したことによる補強効果や液等の漏れ防止、外観良化等の利点をそのままに維持して、使用後のサイドシール部の引き裂き性を大幅に向上したパンツ型着用物品を提供する。【解決手段】外装体１の着用者肌面側で該物品胴回り部の腹側または背側には、帯材２がその上端縁２ｉ及び／又は下端縁２ｋを着用者肌面側に表出させて胴回り方向に延在し、該帯材２の左右両側端部はそれぞれサイドシーム部３で前記外装体１に挟持接合されており、該帯材の上端縁２ｉ又は下端縁２ｋが前記サイドシーム部３に突き当たる三叉部領域における接合部の該サイドシーム部幅方向内側の端が、該接合部よりも長手方向上側又は下側における接合部のサイドシーム部幅方向内側端よりもサイドシーム部幅方向外側に位置する接合端偏倚部分３ｕを有するパンツ型着用物品。【選択図】図１
2010131193.tif 000002
【特許請求の範囲】
【請求項１】
腹側部分と背側部分と該両部分の間にある股下部分とを有する外装体で構成された、ウエスト開口部と一対のレッグ開口部とを有するパンツ型着用物品であって、
該外装体の腹側部分及び背側部分の左右両側端部がそれぞれ合掌状態に重ね合わされて接合され前記ウエスト開口部からレッグ開口部にかけて着用者の背丈方向を長手方向として延びるサイドシーム部をなし、
前記外装体の着用者肌面側で該物品胴回り部の腹側または背側には、帯材がその上端縁及び／又は下端縁を着用者肌面側に表出させて胴回り方向に延在し、該帯材の左右両側端部はそれぞれサイドシーム部で前記外装体に挟持接合されており、
該帯材の上端縁又は下端縁が前記サイドシーム部に突き当たる三叉部領域における接合部の該サイドシーム部幅方向内側の端が、該接合部よりも長手方向上側又は下側における接合部のサイドシーム部幅方向内側端よりもサイドシーム部幅方向外側に位置する接合端偏倚部分を有するパンツ型着用物品。
【請求項２】
前記帯材縁とサイドシーム部との三叉部領域における接合部幅（ｔ１）とその上側又は下側の接合部幅（ｔ２）との比（ｔ１／ｔ２）が０．２〜０．８である請求項１に記載のパンツ型着用物品。
【請求項３】
前記サイドシーム部がその長手方向に間欠的に設けられた強接合部とその間に介在された弱接合部との列設により構成されている請求項１又は２に記載のパンツ型着用物品。
【請求項４】
前記サイドシーム部は複数の接合部とその間に設けられた非接合部との列設により構成されている、請求項１又は２記載のパンツ型着用物品。
【請求項５】
前記パンツ型着用物品は前記外装体の腹側部分から背側部分にかけてそのウエスト開口部付近の側縁部を残して延在する吸収体を具備し、前記帯材が前記外装体の腹側又は背側の側縁部から吸収体に跨設され、該帯材の上端縁及び下端縁を除く少なくとも一部において前記外装体の着用者肌側面及び吸収体の着用者肌側面に接着されている請求項１〜４のいずれか１項に記載のパンツ型着用物品。
【請求項６】
前記帯材の上端縁および下端縁の両方が肌面側に表出されており、かつ前記接合端偏倚部分を前記サイドシーム部の上側及び下側に２つ有し、該サイドシーム部の接合部面が全体として正面視において横転した「Ｗ」字様になるようにされた請求項１〜５のいずれか１項に記載のパンツ型着用物品。
【発明の詳細な説明】
【技術分野】
【０００１】
本発明はパンツ型の着用物品に関する。
【背景技術】
【０００２】
着用者の胴回りの左右において背丈方向に延びる線状サイドシーム部を有し、このサイドシーム部で外装体の腹側と背側とが接合され、ブリーフパンツと同様にウエスト開口部と一対のレッグ開口部とが予め画成されているパンツ型おむつないしおむつカバーなどがある。成人用のおむつにおいては、自分でパンツを上げるという自立にこだわっている、あるいはそういったリハビリが必要な利用者には、自分で立って穿くことができるパンツ型のおむつ等が適している。
【０００３】
このようなパンツ型おむつ等は、通常、使用後にブリーフパンツを脱ぐようにこれを足先へ下ろすのではなく、上述した着用者の左右両側にあるサイドシーム部を破り切り離して脱がせる。このようにすることで、例えば乳幼児や老人等の要介護者が排便をしたときにも、その汚物を腿から足先に引きずって付着させるようなことなく、おむつを破断開放し、そのまま立位や仰向けに寝た状態で股間から引き離し脱がすことができる。
【０００４】
上記パンツ型おむつのサイドシーム部の形状ないしその加工状態を改良したものとして、サイドシーム部において部分的に圧搾強度を異ならせ、非接合部、弱接合部、強接合部を設けたものが開示されている（特許文献１参照）。これにより、外観を悪化させることなく着用者の肌面に良好に密着し、さらに通気性が良く蒸れを防ぐことができるとされる。
また、サイドシーム部の長手方向（背丈方向）の中ほどに接合されていない部分を設け、この非接合部分の外装シートを耳状に延出させた摘持部を形成したパンツ型使い捨ておむつが開示されている（特許文献２参照）。このおむつにより、腰部の両側の上記摘持部をつまんでサイドシーム部を形状的に安定させ、その上で上記非接合部に指先を差し込んで上記摘持部から離れるように動かしてサイドシーム部を引き裂くことができる。
【０００５】
そのほかパンツ型のおむつにおいて、外装シートの肌面側にある吸収体の上下（腹側／背側）端部からウエスト開口部付近にかけて配置した胴回り方向に延びる帯材を適用したものがある（特許文献３参照）。具体的にこの帯材は腹側及び背側の一対の長尺シート部材であり、該一対の帯材は着用者の胴回りに腹巻き状に配置され、これを外装シートの肌面側面から上記吸収体の肌面側面に跨設したものである。この一対の帯材は、その左右の両側端部がおむつのサイドシーム部にまで延ばされ、そこで外装シートの両側端部に挟持され外装シートとともに接合されている。この胴回り方向に延びる帯材を適用することにより吸収体端部がパンツ内で肌側に露出されるのを防止して美麗な形状に仕上げることができるとされる。
【０００６】
【特許文献１】特開２００１−１２０５９５号公報
【特許文献２】実開平０６−０５０６２３号公報
【特許文献３】特開平０８−２８０７３９号公報
【発明の開示】
【発明が解決しようとする課題】
【０００７】
ところが、本発明者らの確認によれば、上記帯材の適用されたおむつにおいては、これを脱がせるとき、上述した通常のパンツ型おむつを脱がせるのと同様にしてサイドシーム部を破断して引き剥がそうとすると、外装シートは破断されるものの、その内側で挟持接合された帯材はうまく破断されないことがある。この状態を図１３に基づいて詳しく説明する。図１３は従来のおむつのサイドシーム部を引き裂くときの状態をおむつ内側からみて模式的に示した斜視図である。従来のパンツ型おむつ１００のサイドシーム部３３を破断するとき、その左右近傍の外装シート１（腹側部分１ａ、背側部分１ｂ）を母親、介助者ないし着用者自信が両手の指Ｔで摘んでその両手を引き離すように方向Ｇに向け力を入れる。すると接合された従来のサイドシーム部３３はその上端縁から徐々に引き裂かれ、破断後の腹側サイドシーム部３３ａと破断後の背側サイドシーム部３３ｂとに引き離される。これを左右両側のサイドシーム部全長にわたって行い、うまくサイドシーム部３３が二分されれば展開型おむつと同様におむつを腹側と背側とに切り離して着用者の股間部を開放することができる。
【０００８】
しかし、この帯材の適用された従来のパンツ型おむつ１００においては、帯材２（腹側帯材２ａ、背側帯材２ｂ）がうまく引き裂かれず、両者が合掌状態で接合した状態（接合面）ｒが維持されてしまう。そのため例えば、外装シート１を破りつつ、内部の帯材２も少しずつ交互に破っていくという極めて迂遠な作業を強いられる。また、このとき、外装シート１と帯材２が方向ｐに向けて面内で剥離破断していくこともある。この面内の破断が大きく広がるとおむつの形状が大きくくずれ、場合によっては母親や着用者、介助者等の手元が安定せず排泄物で周囲を汚してしまうことともなりかねない。さらには、この迂遠な作業や汚物の散在に注意を惹かれるがあまりにおむつ交換に時間がかかれば、たとえば月齢の上がってきた乳幼児などじっとはしておらず、汚物をつけたまま寝返りをうったり、動き出したりするというトラブルにつながりかねない。また、高齢者においては、上記と同様の使い勝手の悪さからリハビリに対する意欲を減退させかねない。
【０００９】
本発明は上記の点に鑑み、外装体の肌面側に帯材を具備するパンツ型おむつを始めとした着用物品に特有の課題を解決し、帯材を適用したことによる補強効果や液等の漏れ防止、外観良化等の利点をそのままに維持して、使用後のサイドシール部の引き裂き性を大幅に向上したパンツ型着用物品の提供を目的とする。
【課題を解決するための手段】
【００１０】
本発明の上記目的は腹側部分と背側部分と該両部分の間にある股下部分とを有する外装体で構成された、ウエスト開口部と一対のレッグ開口部とを有するパンツ型着用物品であって、該外装体の腹側部分及び背側部分の左右両側端部がそれぞれ合掌状態に重ね合わされて接合され前記ウエスト開口部からレッグ開口部にかけて着用者の背丈方向を長手方向として延びるサイドシーム部をなし、前記外装体の着用者肌面側で該物品胴回り部の腹側または背側には、帯材がその上端縁及び／又は下端縁を着用者肌面側に表出させて胴回り方向に延在し、該帯材の左右両側端部はそれぞれサイドシーム部で前記外装体に挟持接合されており、該帯材の上端縁又は下端縁が前記サイドシーム部に突き当たる三叉部領域における接合部の該サイドシーム部幅方向内側の端が、該接合部よりも長手方向上側又は下側における接合部のサイドシーム部幅方向内側端よりもサイドシーム部幅方向外側に位置する接合端偏倚部分を有するパンツ型着用物品により達成された。
【発明の効果】
【００１１】
本発明の着用物品は、外装体の肌面側に帯材を具備し、該帯材を適用したことによる補強効果や液等の漏れ防止、外観（物品の内面の見た目）の良化等の利点をそのままに維持して、使用後のサイドシール部の引き裂き性が極めて高く、迂遠な作業や複雑な機構を要さずに極めて軽便にこの部分を破断しておむつを脱がせ又は脱ぐことができるという優れた作用効果を奏する。
【発明を実施するための最良の形態】
【００１２】
以下、本発明の好ましい実施形態である成人用のパンツ型使い捨ておむつについて詳細に説明する。
図１は、本発明における第１の実施形態としてのパンツ型の使い捨ておむつ１０を概ね着用状態の形状として腹側のやや着用者左側上方からみて模式的に示した斜視図である。本実施形態１のおむつは、ウエスト開口部Ｗｏと一対のレッグ開口部Ｌｏとを有し、おむつの左右両側にウエスト開口部Ｗｏからレッグ開口部Ｌｏにかけて着用者の背丈方向を長手方向として延びるサイドシーム部３を有する。なお、「シーム」とは継ぎ目を意味し、連続した接合部による形態や、複数の接合部と非接合部とが互いに間欠的に配置された形態を含む。そして、このサイドシーム部３においては、外装体を構成する外装シート１の腹側部分１ａと背側部分１ｂとの左右両側端部がそれぞれ合掌状態に重ね合わされて接合されている。ここで、合掌状に重ね合わせるとは、一対のシート材において同一の機能を有する面、つまり本実施形態の外装シートにおいては肌当接面どうしを対面させて当接することをいい、このとき両シート材の間に他の機能性のシート材や部材を介在させてもよい。本実施形態１において外装体を構成する外装シート１の腹側部分１ａと背側部分１ｂとは、股下部分１ｃ（図１のおむつにおいて股下部Ｃにあたる部材部分）を介して連続した一体のシート材からなっているが、腹側部分１ａ、背側部分１ｂ、股間部分１ｃが異なるシート材からなり所定の位置で接合されたり、別の機能性の部材等と組み合わせて構成されたものであったりしてもよい。
【００１３】
図示したものにおいては外装シート１を要部の視認性を考慮し１枚のシート材として示したが、本実施形態１において外装シート１は、着用者肌面側（以下、本明細書では単に「肌面側」または「肌側」とも言う）の液不透過性の１層以上の裏面シートと着用者非肌面側（「単に「非肌面側」又は「非肌側」とも言う」）の外層不織布とからなる。そして、上記裏面シートと外層不織布との間または裏面シート間には、紐状弾性部材（図示せず）等の所定の部材が介在され配設されている。具体的には、ウエスト開口部Ｗｏの近傍の縁部及び胴回り領域Ｄの中央に胴回りの方向に延びるウエスト弾性部材及び胴回り弾性部材がそれぞれ配設されている。これらの胴回りに周状配置された弾性部材により、着用者の胴回りを適度に締め付け良好なフィット性を示す。また、レッグ開口部Ｌｏの縁部の近傍にも紐状のレッグ弾性部材が同様に介在配設され、着用者の足の付け根回りを適度に締め付けて良好な装着性とこの部分からの液等の漏れ防止性とを発揮する。
【００１４】
上記の外装シート１の肌面側には、液透過性の繊維シート（液透過性の表面シートないし紙製の台紙）（図示せず）に積繊されたパルプ繊維や吸収性ポリマー等で構成された吸収コア（図示せず）がつつまれた吸収体４が配設されている。この吸収体４を外装シート１に取り付ける方法は特に限定されないが、例えば面状、線状、スパイラル状にホットメルト接着剤を塗布して接合することができる。
【００１５】
本実施形態の使い捨ておむつ１０において、吸収体４は、中央部分が括れた砂時計状であり、サイドシーム部３で分解し展開された外装シート１も吸収体４の外形に合わせてそれより大きな砂時計形状とされている。また、外装シート１は吸収体４の長手方向の前後両側縁の外方（着用者の頭部方向）および、吸収体４の幅方向の左右両側縁の外方（着用者の左右の側部方向）に延在する側縁部（フラップ部）を有している。この左右ないし前後両側縁部の左右端部が上述のようにサイドシーム部３をなして接合されている。このような構成は、通常のパンツ型の使い捨ておむつと同じである。
【００１６】
本実施形態１のパンツ型使い捨ておむつ１０には、そのおむつの胴回り部Ｄであり、かつ、外装体をなす外装シート１の肌面側Ｈに、一対の帯材２（腹側帯材２ａ、背側帯材２ｂ）がその上端縁２ｉ及び下端縁２ｋを肌面側に表出させて、つまりさらにその肌面側を別のシート材等で覆うことなく胴回り方向にその長手方向を向け延在している（図１、図２参照）。そして、この帯材２の上端縁２ｉ及びその周辺（上端領域２１）は非接合の自由端とされており、その下方の中央外装帯対面領域２２において外装シート１の肌面側面と接着材によりしっかりと接着されている。さらに下って吸収体４の長手方向端縁４ｉをまたぐ部分（吸収体端縁被覆領域２３）においては帯材２が非接合の状態とされており、その下の部分から帯材下端縁２ｋにいたる吸収体対面領域２４において吸収体４の肌面と接合されている。なお、図２ではおむつ腹側の形態を示したが、このような部材配置及びその組み立て形態は背側縁部でも同様である。
【００１７】
本実施形態においては、外装シート１の腹側部分１ａから背側部分１ｂにかけてそのウエスト開口部付近の側縁部を残して延在する吸収体４を有し、前記帯材２が前記側縁部Ｆａ，Ｆｂから吸収体４に跨設されている。そして、上述のように帯材２の上端領域２１および吸収体端縁被覆領域２３において前記外装体側縁部Ｆａ，Ｆｂの肌面側面及び吸収体４の肌面側面に接着されている。このように、吸収体４の前後（背側／腹側）端縁４ｉを跨ぎ越えるように帯材２を配置することにより、吸収体端部を適度に押え付け、その部分での着用中の型崩れや剥離を抑え、見た目をすっきりさせることができる。また、着脱時に足先の引っかかりや肌との摩擦力により吸収体４の前後（背側／腹側）端縁４ｉの口が開き、吸収材が漏出することを確実に防止することができる。さらに、本実施形態においてこの帯材２は撥水性の材料であり液体等を透過しにくいため、就寝時等に長時間着用して多量の尿等の排泄がありこれを吸収保持した吸収体４の中央から、例えば着用者が寝返りをうつなどして腹側や背側へと搾られるように液等が移行しようとしたときにも、この帯材２が防漏壁として機能しその漏洩を効果的に防止することができる。
【００１８】
また、上記のように外装シート１ないしは吸収体４のおむつ本体側と、これに対面する領域において帯材２を面状に接合することにより、特に外装シート１との接合領域２２における引張り強度が向上する。これにより、例えば成人用のおむつを穿くときなどに強めに引き上げることがあり、場合によっては急ぐあまりに外装シート１を強引に引き上げて破損してしまうこともあるが、本実施形態においては上記帯材２が補強材として機能しこのような破損を効果的に抑制・防止することができる。また、一方で上端縁２ｉの部分は接合されず接着剤等による硬化の影響がなく、見た目にやわらかで、痒みや違和感を与え難い。さらに、サイドシーム部３でも上記上端領域２１が非接合状態とされたため、サイドシール部の引き裂き性を良化する作用があるがこれについては後述する。なお、帯材２を接合する方法は特に限定されず、例えば上述のような、面状、線状、スパイラル状にホットメルト接着剤を塗布して接合することができる。
【００１９】
本実施形態１のおむつにおいては、上述のとおり、おむつの外形をなす外装体を構成する外装シート１の腹側部分１ａおよび背側部分１ｂの左右両側端部がそれぞれ合掌状態に重ね合わされて接合されている。そして、おむつの胴回り部Ｄの前記外装シート１の肌面側に配設された一対の帯材２（２ａ、２ｂ）の左右両側端部が、さらに上記外装シート１（１ａ、１ｂ）の左右両側端部に挟持され接合されている（図１、図３参照）。すなわちサイドシーム部３においては、図３において右側からみて、外装シート腹側部１ａ、腹側帯材２ａ、背側帯材２ｂ、外装シート背側部１ｂの順でその４層構造となっており（外装シート１を離面シート及び外層不織布の２層構造としてみれば６層構造といえる。）、これらをまとめてヒートエンボス加工により接合一体化している。なお、サイドシーム部３における帯材２の配置されていない部分では、帯材２（腹側帯材２ａ、背側帯材２ｂ）を除く外装シートの腹側部１ａ及び背側部１ｂの２層構造となる。
【００２０】
本実施形態において長尺の帯材２（２ａ、２ｂ）は胴回り方向に延びて左右両サイドシーム部３にまで到達するように配置されているが、この肌面側に表出された上端縁２ｉ及び下端縁２ｋは左右に延びて前記サイドシーム部に突き当たって三叉部領域における袋状の偏倚部分３ｕを構成している。この三叉部領域はすなわちサイドシール部３が「Ｔ」の横棒をなし、帯材２の上端縁２ｉないし下端縁２ｋが「Ｔ」の縦棒をなし、全体として横転した「Ｔ」字状の三叉部領域をなしている。図４に示した部分でいえば、腹側帯材２ａの上端縁２ｉとサイドシーム部３とで右側に横転した「Ｔ」字状の三叉部領域を構成している。これは、背側部材２ｂからみても同様である。以下、袋状の偏倚部３ｕ（以下この部分を「袋状部」という。）の周辺を拡大して示した図４に基づきこの形態をさらに詳しく説明する。なお、上記説明から明らかなように、「三叉部領域」は帯材２上端部２ｉ又は下端部２ｋがサイドシーム部と突き当たった交点のみを指すのではなく、その近傍のＴ字状をなす部分も含むものである。
【００２１】
本実施形態では、上記帯材の上端縁２ｉが突き当たる三叉部領域におけるサイドシーム部幅方向の接合部幅（ｔ１）はその接合部の長手方向上側及び下側における接合部幅（ｔ２）よりも小さくされている。つまり、接合部幅（ｔ１）はその上側及び下側の接合部幅（ｔ２）から延出した接合部の幅（ｔ３）を減じたものに相当し、不等式（ｔ１＜ｔ２）の関係がなりたつ。その結果、この三叉部領域におけるサイドシーム部３には入口３ｓ及び底３ｔが左右側方に向くように横転させられた袋状の偏倚部３ｕが画成されている。すなわち、袋状部３ｕにおける接合部９ｓの内側端位置Ｓ２がその上側又は下側における接合部９ｔの内側端位置Ｓ１よりも内側になるよう偏倚されている（図４参照）。なお、図４では袋状部の底３ｔと接合部９ｓの内側端部位置Ｓ２を説明のために区別して異なる位置に示している。
【００２２】
このようにして、三叉部領域の狭幅接合部分９ｓ（狭幅・強接合部９ｂ、狭幅の非接合部又は弱接合部９ｄ）が幅方向外方（図４においては右方向）へ向けた底３ｔをなし、その上側及び下側の大接合部分９ｔ（広幅・強接合部９ａ、広幅の非接合部又は弱接合部９ｃ）が両側縁３ｖ、３ｗをなす、入口３ｓをおむつ内方（図４においては左方向）にむけた袋状部３ｕがサイドシーム部３に作出されている。ただし、上記袋状部３ｕにおける接合部の内側端位置Ｓ２は、その一部において、この上側又は下側の接合部の内側端位置Ｓ１より偏倚していれはよく、本実施形態とは異なり例えば漸次偏倚するようにしてもよい。
【００２３】
上記実施形態のように、袋状部３ｕを形成することによって、サイドシーム部引裂き時に帯材２が確実に剥れ易くなる。つまり、本実施形態のように袋状部３ｕを形成し、そこに帯材の上端縁２ｉあるいは下端縁２ｋを位置させ十分な効果を発現させるよう、帯材の上端縁２ｉあるいは下端縁２ｋと袋状部３ｕを交差させることが好ましい。一方、帯材の上端縁２ｉあるいは下端縁２ｋを上下の袋状部に挟まれる位置に配置させた場合には、引き裂き性がむしろ悪化することがある。
【００２４】
袋状部３ｕの背丈方向長さは、引き裂き性の観点から５〜５０ｍｍが好ましく、１０〜３０ｍｍがより好ましい。また、引き裂き性の観点から、帯材の上端縁２ｉあるいは下端縁２ｋのサイドシーム部３における背丈方向位置が、袋状部３ｕの背丈方向の２０〜８０％の位置に相当することが好ましく、４０〜６０％の位置に相当することがより好ましい。サイドシームの引き裂き性向上と使用中の剥離防止の両立の観点から、「袋状部３ｕの総背丈方向長さ」を「サイドシーム長さ」で除した値は０．０５〜０．４が好ましく、０．１〜０．３がより好ましい。なお、袋状部３ｕの背丈方向長さとは、底３ｔを挟む広幅・強接合部９ａ間の距離をいい、底３ｔから広幅・強接合部９ａに向かう途中に、向かう先の広幅・強接合部９ａの接合長さを超える接合部はないことが好ましい。袋状部における接合部の内側端部が画成する底３ｔは複数の接合部からなることが、サイドシームの引き裂き性向上と使用中の剥離防止の両立の観点から好ましい。
【００２５】
本実施形態においては接合部９（９ｔ、９ｓ）がサイドシーム部幅方向外側縁３ｒ（図４）の内側に向け延ばされているが、接合幅（ｔ１）および（ｔ２）、延出接合幅（ｔ３）は、サイドシーム部が弾性伸縮性を有している場合や、サイドシーム部幅方向の外側縁３ｒ付近が接合されていないときには、該部位を前記外側縁３ｒまで引き伸ばした状態で測定する。すなわち、接合幅（ｔ１）および（ｔ２）は、全接合部のうち幅方向外側縁３ｒを基準に各接合部９ｔ、９ｓの幅方向最内側端位置Ｓ１、Ｓ２までの幅方向平行距離をいう。すなわち、三叉部領域の狭幅接合部分９ｓが幅方向外方へ向けた底３ｔをなすように端位置Ｓ２を配していれば、底３ｔの更に幅方向外方の接合状態は特に限定されない。例えば、図４Ａ（ａ），（ｂ）に示したような配列で偏倚された強接合部（図４の変形例では強接合部９ｚとして図示した。）としてもよく、これらの変形例においてはそれぞれ同図に示したように幅ｔ１，ｔ２，ｔ３が規定される。ただし、接合部において幅方向最外方位置が外側縁３ｒに沿って直線状に並んでいることが、未接合のシートの凹凸部が少なく外観が良く好ましい。なお、引き裂き性と風合い向上の観点から、サイドシーム部がその長手方向に間欠的に設けられた強接合部とその間に介在された弱接合部との列設により構成されていることが好ましく、前記弱接合部が非接合部であることがより好ましい。
【００２６】
図４においてはおむつ腹側からみて右側上側の袋状部３ｕのみについて示し説明したが（図１とあわせて参照）、本実施形態のおむつにおいては同様の袋状部３ｕが左右両サイドシーム部３にそれぞれ上側及び下側の２つずつ、合計４つ作出されている。これら４つの袋状部３ｕが帯材２（腹側帯材２ａ、背側帯材２ｂ）の上端縁２ｉおよび下端縁２ｋの左右両端の位置に対応し、該各サイドシーム部の設合部面は全体において正面視において横転した「Ｗ」字様になるようにされている（図１参照。要すれば、別の実施形態であるが同様の横転Ｗ字様の接合部面を有する図１０〜１２参照。）。
【００２７】
上記表出された帯材縁（上端縁２ｉ、下端縁２ｋ）とサイドシーム部３との三叉部領域における狭幅接合部分９ｓの接合部幅（ｔ１）とその上側及び下側の広幅接合部分９ｔの接合部幅（ｔ２）との比（ｔ１／ｔ２）は、おむつの大きさやこの部分を破る力の強さなどを考慮して適宜さだめればよく、例えば成人用のものであれば０．２〜０．８であることが好ましく、０．４〜０．６であることが好ましい。
【００２８】
本実施形態のサイドシーム部３は、図４に示したように、幅方向に延びる強接合部９ａ、９ｂが間欠的に長手方向にむけて列設され、具体的には多数のマッチ棒を平行に所定間隔をあけて連なるように配設されている。そしてこの間欠的に列設された強接合部９ａ、９ｂの間に非接合部又は弱接合部９ｃ、９ｄが介在配置されて全体としてサイドシーム部３が構成されている。（各接合部９ａ，９ｂ，９ｃ，９ｄの領域は機能的に区画されればよく、非接合部又は弱接合部９ｃ，９ｄは隣接する強接合部９ａ，９ｂの周辺で強くされ、そこから離れるにつれ、つまり非接合部又は弱接合部の中ほどにいくにつれ接合力が弱くなる、あるいは非接合となるような傾斜的な接合状態でもよい。）。このとき、上記強接合部９ａ、９ｂの列設間隔（ｋ）は特に限定されないが、５ｍｍ以下であることが好ましく、１〜３ｍｍであることがより好ましい。
【００２９】
上記のような、強接合部及び非接合部又は弱接合部の形成方法は特に限定されないが、たとえば以下のような手順が挙げられる。外装シート及び帯材の胴回りの左右両端部を合掌状態に重ね合わせ、ここにサイドシーム部３をなすように、腹側部側の面及び背側部側の面の両面から所定の凹凸形状を有する一対の接合ブロックを加熱押圧して形成する。この際、接合工程において用いる一対の接合ブロックとして、凹凸形状がそれぞれ同じかあるいは異なるものを使用して、その凹凸が嵌め合うようにして、あるいは嵌め合わせず凸部どうしが突き当たるようにして狭圧する。一対の接合ブロックはいずれも凸部が所定の間隔を開けてかつ直線状に長手方向に列設され、これにより背丈方向に延びるサイドシーム部３をなすことができる。このとき、例えば、上記後者のように凸部どうしが付き合うように接合ブロックにより狭圧すれば、その部分を上記の強接合部９ａ、９ｂとすることができ、接合ブロックを対面狭圧したときにも凹部どうしで離間部が残る部分において、上記の非接合部又は弱接合部９ｃ、９ｄを形成することができる。
【００３０】
接合ブロックの凸部の大きさや間隔、幅方向の長さは、所望の強接合部及び弱−非接合部の形態に応じて任意である。そして、袋状部３ｕをなすべき部分で接合ブロックの凸部の長さを狭幅接合部分９ｓに対応して短くし、その上側及び下側において広幅接合部分９ｔを形成する部分で凸部を長くすることにより、本実施形態１のような構成のサイドシール部とすることができる。上記のサイドシール部の押圧加工法は、特に限定されずに通常のエンボス加工法等、適宜選択して行うことができる。
【００３１】
強接合部９ａ、９ｂ、非ないし弱接合部９ｃ、９ｄの接合強度は特に限定されず、おむつの種類や機能により調節することができるが、例えば強接合部の接合力を１０００〜４
０００ｃＮ／３０ｍｍとすることが好ましい。非ないし弱接合部は強接合部に介在されて接合力に差がついていればよいが、例えば非接合状態でない場合においてその接合強度は３００〜２０００ｃＮ／３０ｍｍとすることが好ましい。接合部９全体としての接合強度は、例えば１０００〜４０００ｃＮ／３０ｍｍとすることが好ましい。
［接合強度］
本発明において「接合強度」は特に断らない限り、下記のようにして測定した値をいう。各接合部について、適当な大きさに切り出してサンプルとし、得られたサンプルについて、引張試験機にて、３００ｍｍ／ｍｉｎで１８０°剥離強度を測定し、これを幅３０ｍｍに換算する。なお、強接合部及び弱接合部については、疑似的に各接合部と同条件で作製した幅の広いサンプルを用いて測定してもよい。
【００３２】
図５は図１に示した領域ＩＶの周辺をおむつ内側からみて模試的に示した斜視図であり、図６はこのサイドシール部分を引き裂くときおの状態を模式的に示した斜視図である。本実施形態１のおむつにおいては、上述のように図１の領域ＩＶ、すなわちおむつの着用者左側のサイドシール部の上方において、帯材２の上端縁２ｉが延びてきてサイドシール部に突き当たる三叉部領域に袋状部（非接合部）３ｕが作出されている。図５では、この袋状部３ｕを入口３ｓ側からみて示している。同図に示したように本実施形態の袋状部３ｕは、あたかも長めの札入れを立てて口をあけたように、入口３ｓをおむつ内側にむけたポケット状の形態とされている。そして袋状部３ｕの背丈方向の上側外方および下側外方にはサイド接合部幅の大きい広幅接合部分９ｔがサイドシーム部３を幅方向でみて余りなくシールしており、袋状部３ｕの位置では狭幅接合部９ｓがサイドシール部幅方向外縁までシールしている。このようにして、各シート（外装シート腹側部１ａ，背側部１ｂ、腹側帯材２ａ、背側帯材２ｂ）がしっかりと圧着接合されている。
【００３３】
そして、上記本実施形態のおむつ１０を使用後に脱いでないし脱がして廃棄するようサイドシーム部３を引き裂くとき、着用者ないし介助者の手指Ｔでその両側を摘んで、矢印Ｇの方向に動かすように力をいれる（図６参照）。すると、徐々にウエスト開口部側のサイドシーム部上端縁３ｉから下方へ向けサイドシーム部が引き裂かれていき、破断されたシーム部腹側３ａと破断されたシーム部背側３ｂとに分断されていく。そして、従来のもの（図１３参照）とは異なり、帯材の上端縁２ｉの部分にさしかかってもそこで帯材が接合されたまま残ってしまうことなく腹側帯材２ａと背側帯材２ｂとが引き裂かれ易いので、両者はスムースに分断されていく。なお、図６ではこのときの破断の様子を、理解を容易にするためサイドシーム部の形状が維持されて移動していくように示し、例えば上端縁３ｉの仮想軌跡線ｑ１を理想的な円弧を描くように示したが、実際にはシート材の変形性のためサイドシーム部のおむつ内方側から徐々に剥離していき、サイドシーム部面がややよじれながらおむつ外方かつ下方へと剥がれていく。
【００３４】
本実施形態においては、さらにこの剥離のとき、外装シート１と帯材２との面内での剥離も生じず、外装シート１の動きに追従して帯材２が引き裂かれていくためおむつの型崩れや内部部材の屑がでてくるような心配がない。このような作用はサイドシーム部に作出された袋状部３ｕによるものである。図６においてはこの部分が引き離れていく様子を、袋状部３ｕの入口３ｓの両端の移動軌跡を示す補助線ｑ２で示した。このあたりも実際には図示したものに対しシート材がよじれながら徐々におむつ内方から外方へむけ、またおむつ上側から下側へむけ引き裂かれていく。
袋状部３ｕを横断するように幅方向に沿って弾性材が配置されていることが、袋状部３ｕを自然状態で開口し、引き裂き性を向上させるため好ましい。
【００３５】
さらに本実施形態１のおむつ１０においては、帯材の上端縁２ｉの付近（上端領域２１）を非接着状態としたため（図２参照）、柔軟性が向上し、帯材同士が剥離しやすくなる。また、帯材の上端縁２ｉの付近に接着剤を使用した場合には、接着剤の染み出しによって帯材同士が接合し剥離し難くなる不都合が発生するが非接着状態にすることによりこのような不都合を回避することができる。その結果、非接着の上端縁２ｉと上述した袋状部３ｕとの相互作用により引き裂き性が一層高まり、帯材の合掌状態の接合面がその初期の接合力は低下させていないにも関わらず、人為的な引き裂きに対しては剥離しやすくなり、例えば接合部における多少の接合力や接合幅のばらつきがあったり、やや乱暴に又は力の弱いひとが引き裂いたりしたとしても良好かつ確実な分断を可能とする。
【００３６】
図７は、本発明における別の実施形態（第２実施形態）のパンツ型の使い捨ておむつ２０をサイドシーム部の位置で分解し展開しておむつ内側からみて模式化して示した一部平面図である。本実施形態２においては、帯材２ａが吸収体４の肌側面からその端部を跨ぎこし外装体腹側部１ａの肌側面に延在し、そのまま外装体の上端縁１ｉにまでいたるように配設されている。すなわち、ウエスト開口部Ｗｏをなすおむつの上端縁にまで帯材が延ばされている。そして、サイドシーム部３においては、広幅・強接合部９ａが外装体上端縁１ｉから下るように列設され、帯材下端縁２ｋの近傍にまで延ばされている。この帯材下端縁２ｋの近傍、つまり該下端縁２ｋが左右に延ばされサイドシーム部と突き当たる三叉部領域付近においては、狭幅・強接合部９ｂが列設され、そのおむつ内方側に袋状部３ｕが構成されるようにされている。そしてこの袋状部３ｕを越えさらに下る帯材のない部分では再び広幅・強接合部９ａが列設されている（本図では大幅に模式化したため、このシーム部下端３ｋ部分では１本の接合部９ａのみが描かれているが、本実施形態としてはここに複数の接合部９ａが配設されていることを前提とする。また、強接合部９ａ，９ｂの間には、符号により示していないが非−弱接合部が配置されている。このような大幅な模式化は以下の図８〜１２において同様である。なお、図７〜１２では展開されたおむつ腹側の平面図を示しているが、背側においても同様の構造であることが前提であり、これをサイドシーム部で接合して図１と同様の組立てられたパンツ型おむつになる。なお、説明及び理解の便宜より組立てられてなる袋状部や接合部等の符号及び名称を、上記展開平面図においても同様に用いている。）。
【００３７】
換言すると、本実施形態２においては、本実施形態１の上側の袋状部３ｕはなく、本実施形態１の帯材下縁２ｋおよびその三叉部領域にある下側の袋状部３ｕを各サイドシーム部に１つずつ有する構成とされている。このような図７に示した構成のサイドシーム部を有する本実施形態２のおむつとすることで、レッグ開口部Ｌｏからの引き裂き性を高めつつ、帯材２と吸収体４の前後（背側／腹側）端縁４ｉの被覆面積を最小限に抑制することができ、特に吸収体長の長い設計の場合には、吸収性能に大きく寄与する吸収体の親水面積を大幅に拡大することができる。また、帯材２を外層不織布を折り返すことにより形成させることにより、帯材２を別体で供給する場合に比べて加工設備が簡素化でき、生産コストを低減することができる。
【００３８】
図８は本発明における別の実施形態（第３実施形態）のパンツ型の使い捨ておむつ３０を図７と同様に展開しておむつ内側から模式化して示した一部平面図である。本実施形態２において、帯材２ａの上端縁２ｉ及びこの三叉部領域の袋状部３ｕの構成は本実施形態１と同様である。そして本実施形態３においては、帯材２ａがサイドシーム部下端縁３ｋにまで延ばされ、したがって下側の袋状部３ｕのない、つまり片側のサイドシーム部の上側に１つの袋状部３ｕが作出された構成である。このような本実施形態３のおむつとすることで、ウエスト開口部Ｗｏからの引き裂き性を高めつつ、ウエストから胴回り近傍に帯材を配置しないために通気性を向上することができる。
【００３９】
図９は本発明における別の実施形態（第４実施形態）のパンツ型の使い捨ておむつ４０を展開しておむつ内側から模式化して示した一部平面図である。本実施形態４においては、広幅・強接合部９ａが外装体上端縁１ｉの左右両側でサイドシーム部上端縁３ｉとなる位置から下方に列設され、帯材２ａに到達する前に狭幅・強接合部９ｂに切り替えられている。そして、この狭幅・強接合部が帯材２ａの全幅ｗにわたり、さらに帯材部分を越えて連続して列設され、その後再度サイドシーム部下端縁３ｋに下る部分で広幅・強接合部９ａに切り替えられ配設されている。すなわち、本実施形態においては、帯材の全幅ｗを越えて背丈方向に大きく延びる袋状部３ｕが作出されている。このような本実施形態４のおむつとすることで、帯材４が配置された接合部位の剛性を低減し、柔軟性を向上することができる。
【００４０】
図１０は本発明における別の実施形態（第５実施形態）のパンツ型の使い捨ておむつ５０を展開しておむつ内側から模式化して示した一部平面図である。本実施形態５においては、各サイドシーム部に上側及び下側の２つの袋状部３ｕが配置されており、この点において本実施形態１と同様である。一方、本実施形態１とは異なり、本実施形態５では広幅・強接合部９ａが２つの狭幅・強接合部９ｆからなり、これがサイドシーム部幅方向へ向かう直列的な連設により構成されている。換言すれば、広幅接合部９ａの中央には強く加熱狭圧されていない非ないし弱接合部９ｅがあり、これにより破線状の線状エンボスをなしている。このような本実施形態５のおむつとすることで、帯材４が配置された接合部位を含む接合部位全体の剛性を低減し、柔軟性を向上することができる。破線状の線状エンボスの各線状エンボスは、製品長手方向に沿って直線状に整列していてもよいし、千鳥状に配置していてもよい。
【００４１】
図１１は本発明における別の実施形態（第６実施形態）のパンツ型の使い捨ておむつ６０を展開しておむつ内側から模式化して示した一部平面図である。本実施形態６において帯材２ａ及びその三叉部領域における袋状部３ｕの構成は本実施形態１と同様であり、各サイドシーム部３に上側及び下側の２つの袋状部３ｕが作出されている。ただし本実施形態４においては、サイドシーム部の接合部が強接合部（広幅・強接合部９ａ、狭幅・強接合部９ｂ）のみにより連続配設され、つまりサイドシーム部３の全長において接合部が隙間なく加熱狭圧されて強くシールされている。このような本実施形態６のおむつとすることで、サイドシーム部の引き裂き性を高めつつ、サイドシーム部の使用時の剥離を確実に防止することができる。
【００４２】
図１２は本発明における別の実施形態（第７実施形態）のパンツ型の使い捨ておむつ７０を展開しておむつ内側から模式化して示した一部平面図である。本実施形態７において帯材２ａ及びその三叉部領域における袋状部３ｕの構成は本実施形態１と同様であり、各サイドシーム部３に上側及び下側の２つの袋状部３ｕが作出されている。ただし本実施形態７においては、サイドシーム部の強接合部（広幅・強接合部９ａ、狭幅・強接合部９ｂ）が「Ｖ」字状に屈曲した形状のものとして形成されている。したがって、これに対応して符号では示していないが、非ないし弱接合部も「Ｖ」字状にされている。このような本実施形態７のおむつとすることで、引き裂き性、接合強度、柔軟性等のバランスを適宜調整することができる。サイドシーム部の強接合部が「Ｖ」字状に屈曲した形状のものの他、「→」字状や「／」字状等、サイドシーム部の強接合部形状は適宜設定できる。
【００４３】
外装シートの外層不織布や吸収体を被覆するする繊維シートの素材となる不織布としては、それぞれ、例えばエアースルー不織布、ヒートロール不織布、スパンレース不織布、スパンボンド不織布、メルトブローン不織布等の各種製法による不織布、織布、編布、樹脂フィルム等が挙げられ、これらを積層一体化させてなるシート材等を用いることができる。感触の良い柔軟な襞を規則的に配列させ、装飾的な美観を合わせて付与する観点から、両シート材又は一方のシート材（特に複合伸縮部材を肌に当接させる用途に用いる場合の肌面側の面を形成するシート材）の形成材料は、エアースルー不織布、ヒートロール不織布、スパンレース不織布、スパンボンド不織布、メルトブローン不織布等であることが好ましい。
【００４４】
帯材の素材としては、強度、熱融着性、防漏性（疎水性）の観点から、例えばポリエチレン、ポリプロピレン等の樹脂からなる、あるいは表面が前記樹脂からなる芯鞘型のスパンボンド不織布やフィルム状シートなどが好ましい。
【００４５】
弾性部材の材料としては、吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。
れる。
【００４６】
上記各実施形態においては本発明の着用物品としてパンツ型おむつを例に示したが、吸収性本体を肌面側に配置して用いられるパンツ型おむつカバーであることも好ましい。ここで吸収性本体は、排泄される尿等を吸収するものであれば特に限定されないが、例えば尿とりパッド等の吸収パッドが挙げられる。吸収パッドは、例えば、液透過性の表面シート、液不透過性の防漏シート、及び両シート間に介在された液保持性の吸収体を具備し、平面視矩形状の縦長形状に形成されたものが挙げられる。そして、吸収パッドの長手方向の両側には、左右一対の立体ガードが形成されていることが好ましく、各立体ガードは、吸収パッドの長手方向の両側に、立体ガード弾性部材を有する立体ガード形成用のシート材を配設して形成されていることが好ましい。このような吸収パッドの長手方向を着用者の背側から腹側に股間を介してわたすようにして、該パッドの液透過シート側を着用者の肌に当接するよう配置する。おむつカバーは、この吸収パッドを覆うようにして着用することが好ましい。
【００４７】
本発明のパンツ型着用物品は上述のようなパンツ型のおむつやおむつカバーのほか、生理用ショーツ、ショーツ型ナプキンなどの、パンツ型の構造を有する着用物品一般を含む概念である。このパンツ型着用物品は、乳幼児用のものであっても、成人用のものであってもよい。中でもおむつの強度の観点からは成人用のパンツ型おむつであることが好ましい。
【図面の簡単な説明】
【００４８】
【図１】本発明における第１の実施形態としてのパンツ型の使い捨ておむつを概ね着用状態の形状として腹側からみて模式的に示した斜視図である。
【図２】図１に示したＩＩ−ＩＩ線断面の拡大断面図である。
【図３】図１に示したＩＩＩ−ＩＩＩ線断面の拡大断面図である。
【図４】図１に示した領域ＩＶの周辺を拡大して示した斜視図である。
【図４Ａ】第１実施形態の変形例としてのサイドシーム部をパンツ型の使い捨ておむつを展開しておむつ内側から模式化して示した一部平面図である。
【図５】図１に示した領域ＩＶの周辺をおむつ内側からみて模試的に示した斜視図である。
【図６】本発明における第１実施形態のおむつのサイドシーム部（図５に示した部分に対応する部分）を引き裂くときの状態を模式的に示した斜視図である。
【図７】本発明における別の実施形態（第２実施形態）のパンツ型の使い捨ておむつを展開しておむつ内側から模式化して示した一部平面図である。
【図８】本発明における別の実施形態（第３実施形態）のパンツ型の使い捨ておむつを展開しておむつ内側から模式化して示した一部平面図である。
【図９】本発明における別の実施形態（第４実施形態）のパンツ型の使い捨ておむつを展開しておむつ内側から模式化して示した一部平面図である。
【図１０】本発明における別の実施形態（第５実施形態）のパンツ型の使い捨ておむつを展開しておむつ内側から模式化して示した一部平面図である。
【図１１】本発明における別の実施形態（第６実施形態）のパンツ型の使い捨ておむつを展開しておむつ内側から模式化して示した一部平面図である。
【図１２】本発明における別の実施形態（第７実施形態）のパンツ型の使い捨ておむつを展開しておむつ内側から模式化して示した一部平面図である。
【図１３】従来のおむつのサイドシーム部を引き裂くときの状態をおむつ内側からみて模式的に示した斜視図である。
【符号の説明】
【００４９】
１  外装シート
２  帯材
３  サイドシーム部
３ｒ  外側縁
３ｓ  袋状部入口
３ｔ  袋状部底
３ｕ  袋状部（非接合部）３ｕ
３ｖ，３ｗ  袋状部側縁
３ｉ  サイドシーム部上端縁
３ｋ  サイドシーム部下端縁
４  吸収体
９  接合部
９ａ  広幅強接合部
９ｂ  狭幅強接合部
９ｃ  広幅弱接合部
９ｄ  狭幅弱接合部
９ｓ  狭幅強接合部
９ｔ  広幅強接合部
１０、２０、３０、４０、５０、６０、７０、１００  使い捨ておむつ
【図１】
2010131193.tif 000003
【図２】
2010131193.tif 000004
【図３】
2010131193.tif 000005
【図４】
2010131193.tif 000006
【図４Ａ】
2010131193.tif 000007
【図５】
2010131193.tif 000008
【図６】
2010131193.tif 000009
【図７】
2010131193.tif 000010
【図８】
2010131193.tif 000011
【図９】
2010131193.tif 000012
【図１０】
2010131193.tif 000013
【図１１】
2010131193.tif 000014
【図１２】
2010131193.tif 000015
【図１３】
2010131193.tif 000016